【手続補正書】
【提出日】平成14年11月18日(2002.11.18)
【手続補正１】
【補正対象書類名】明細書
【補正対象項目名】特許請求の範囲
【補正方法】変更
【補正の内容】
【特許請求の範囲】
【請求項１】
円筒状の収容スペースを形成し，内径面が長手方向に沿って均一に伸縮がなされる可撓性の容器本体と；
前記容器本体の外径面に壁面から陥没して前記外形面の螺旋方向に沿って形成されている螺旋溝と；
前記螺旋溝に噛合して結合され，長手方向に向けた前記収容スペースの膨張のために所定の弾性力を有するばねと；
前記容器本体の出入口を遮断するための蓋と；
前記蓋の一定領域に形成され，前記収容スペースに向けて空気の流出入を可能とさせ，選択的に空気の流出入を遮断して収縮状態と膨張状態とを保持するための空気流出入バルブと；
前記ばねのピッチ区間内に，螺旋方向に沿って前記外壁面から切り取られ，前記空気流出入バルブによる収縮を誘導して案内する収縮案内切欠部とを具備することを特徴とする，容器。
【手続補正２】
【補正対象書類名】明細書
【補正対象項目名】０００３
【補正方法】変更
【補正の内容】
【０００３】
かかる上記の問題点を解決するため，図４に示すような，液体物を収納するための可撓性容器が提案され，広く使用されている。複数の環状の折り畳み線が，長手方向に沿って一定間隔で容器の周辺を取り巻く表面の周囲に形成される。かかる折り畳み線は，可撓性容器が適当に容器の容積を調整するために，ジグザグ形態の折り畳み線で拡張又は収縮させることが可能となるように設計されている。すなわち，容器に大量な物が収納される必要がある場合には，使用者は容積を拡大させるために容器を引っ張る。一方，内容物の量が減少した場合には，使用者は容積を縮小させるために容器を押し潰す。


【手続補正３】
【補正対象書類名】明細書
【補正対象項目名】０００６
【補正方法】変更
【補正の内容】
【０００６】
上記目的を達成するために，本発明の実施例により，物を収納するための円筒状の収容スペースを有する容器本体と，かかる容器本体の側壁の外側表面，又は内側表面に沿って螺旋状に形成された容積調節螺旋枠を具備し，かかる容器本体をその起立方向に沿って収縮及び拡張させることにより，容器本体の容量を調整する容器が提供される。


【手続補正４】
【補正対象書類名】明細書
【補正対象項目名】０００７
【補正方法】変更
【補正の内容】
【０００７】
かかる容積調節螺旋枠は，その内部に螺旋方向に沿って形成された中空部と，かかる中空部に設けられ，本体の収縮及び拡張を可能にする弾力性をかかる本体に提供するばねを具備することが好ましい。また，上記容積調節螺旋枠は，中実型に形成されていることが好ましい。


【手続補正５】
【補正対象書類名】明細書
【補正対象項目名】０００８
【補正方法】変更
【補正の内容】
【０００８】
更に，上記容器本体の長手方向に沿って相互隣り合う容積調節螺旋枠の回転間で形成された螺旋状の凹路に沿って，収縮案内切欠部として螺旋状の可撓性の溝が容器本体の側壁に形成されていることが好ましい。


【手続補正６】
【補正対象書類名】明細書
【補正対象項目名】０００９
【補正方法】変更
【補正の内容】
【０００９】
更に，容器本体の入口を遮断して，容器本体内部の空気を排出するための空気流出入バルブを備える蓋を具備することが好ましい。


【手続補正７】
【補正対象書類名】明細書
【補正対象項目名】００１０
【補正方法】変更
【補正の内容】
【００１０】
上記目的を達成するために，本発明の他の実施例により，円筒状の収容スペースを有する可撓性の容器本体と，かかる容器本体の壁面から凹入され、容器本体を囲むよう螺旋方向に沿って形成された凹入溝と，かかる凹入溝に噛合され，収容スペースの収縮と膨張のための弾性力を提供するばねと，容器本体の長手方向に沿って相互隣り合う容積調節螺旋枠に形成され，膨張と収縮を導く板面から取り切られた切欠溝と，上記容器本体の入口を遮断し，容器本体内の空気を排出できるようにする空気流出入バルブを有する蓋を含む容器が提供される。


【手続補正８】
【補正対象書類名】明細書
【補正対象項目名】００１２
【補正方法】変更
【補正の内容】
【００１２】
本発明の第１実施例によると，図１及び図２に示すように，容器１は，容器本体３及びかかる容器本体３を気密に遮断する蓋１０を具備する。


【手続補正９】
【補正対象書類名】明細書
【補正対象項目名】００１３
【補正方法】変更
【補正の内容】
【００１３】
容器本体３は，円筒状に形成され，かかる容器本体の入口の縁に沿って複数個の取っ手兼用係顎４が正反対の位置で具備されている。かかる取っ手兼用係顎４は，容器本体３に蓋１０を固定するために使用され，更に容器１の取っ手として機能する。容積調節螺旋枠５は，容器本体３の側壁の外側表面周囲に螺旋状に形成され，その上，容器本体３の頂部から底部まで展開されている。


【手続補正１０】
【補正対象書類名】明細書
【補正対象項目名】００１４
【補正方法】変更
【補正の内容】
【００１４】
容積調節螺旋枠５は，本体３の側壁の外側表面から突出して，螺旋方向に形成されている。かかる容積調節螺旋枠５は，半円の切断面を有し，内部に中空部６が備えられている。所定のスプリング力を有するばね７は，通常かかる中空部６に収容される。


【手続補正１１】
【補正対象書類名】明細書
【補正対象項目名】００１５
【補正方法】変更
【補正の内容】
【００１５】
従って，容器本体３を長手方向に収縮させれば，容積調節螺旋枠５の回転間で形成された螺旋状の凹路が畳まれ，容器本体３の容積は収縮される。しかしながら，通常の条件では，ばね７のスプリング力は，容器本体３に適用され，ゆえに容器本体３を長手方向に展開された状態で保持される。


【手続補正１２】
【補正対象書類名】明細書
【補正対象項目名】００１６
【補正方法】変更
【補正の内容】
【００１６】
蓋１０は，容器本体３を閉めるために使用され，中央領域に行くほど緩慢に突出された半球状に形成されている。また，複数の結合口１１が，蓋１０の縁に沿って設けられている。かかる結合口１１は方形型を有し，及び取っ手兼用係顎４に向けて，各々固定される。かかる蓋１０の中央部には，出願された韓国の登録実用新案Ｎｏ．８８１００で公開され，本願発明の発明者に許可された空気流出入バルブ１３が具備されている。


【手続補正１３】
【補正対象書類名】明細書
【補正対象項目名】００１７
【補正方法】変更
【補正の内容】
【００１７】
本発明の容器１に物を収納する方法は以下の通りである。まず，使用者は容器本体３に物を入れ，容器本体３の上に蓋１０を載せる。その後使用者は，結合口１１を取っ手兼用係顎４上にはめ込むことにより，蓋１０を容器本体３に固定する。容器１に収納される物の量が容器本体３の容量より小さい場合は，使用者は容器本体３を押し潰して容器本体３を収縮させる。かかる動作により，容器本体３の容積は容器１の内容物の容量を満たすまで収縮する。


【手続補正１４】
【補正対象書類名】明細書
【補正対象項目名】００１８
【補正方法】変更
【補正の内容】
【００１８】
かかる方法で容器本体３を折り畳むと，蓋１０に具備された空気流出入バルブ１３を通して，容器１の内部から空気が流出され，容器１の気密密閉が実現される。従って，物を収納できる適切な最小水準に，容器１の容量を調節できる。更に，容器１は，気密密閉状態で食物，飲料と言った内容物を長期間，新鮮に保存することが可能となる。


【手続補正１５】
【補正対象書類名】明細書
【補正対象項目名】００１９
【補正方法】変更
【補正の内容】
【００１９】
内容物を容器１から取り出す必要がある場合に，使用者は空気を容器１内に流し込むようにするために，空気流出入バルブ１３を下に押す。容器１内に空気が流入している間に，容器本体３はばね７のスプリング力によって長手方向で伸縮自在に拡張される。容器本体３が完全に拡張され，原型を復元したとき，容器本体３から蓋１０を取り除いた後に，容器１から内容物を取り出すことが可能となる。


【手続補正１６】
【補正対象書類名】明細書
【補正対象項目名】００２０
【補正方法】変更
【補正の内容】
【００２０】
このように本発明に従って，可撓性のある容器本体３が容器１の容量を調整するために折り畳み可能に設計されている。容器本体３の容量を収縮させる必要があるときは，使用者は容器本体３を折り畳むために直接本体を押し潰す必要がある。しかし，容器本体３を原型に戻す必要があるときは，使用者は空気流出入バルブ１３を通して容器本体３に空気を流入させるために空気流出入バルブ１３を操作して，それにより手動で容器本体３を拡張することなく，容器本体３を容易に拡張させられる。ゆえに容器本体３の容量の調整がかなり容易に実現される。通常では，容器本体３は原型，すなわち拡張された型を維持しているので，容器１内に何か保存している間に畳まれた溝中に溜まったゴミを容易に除去でき，それゆえ衛生面において優れている。更に，空気流出入バルブ１３を使用することにより，食物及び飲料は真空状態で長期間，新鮮に容量調整可能な容器１内で保存される。


【手続補正１７】
【補正対象書類名】明細書
【補正対象項目名】００２１
【補正方法】変更
【補正の内容】
【００２１】
本発明の他の実施例によれば，図３ａに示すように，収縮案内切欠部として可撓性のある溝９が容積調節螺旋枠５の回転間に形成された螺旋状の凹路に沿って容器本体３の側壁の外表面を取り巻くように螺旋状に形成され，Ｖ字型の切断面を有するように刻まれている。かかる可撓性のある溝９は，螺旋状の凹路に沿って，容器本体３の頂部から底部まで形成されている。従って，容器本体３を押し潰したとき，容器本体３は可撓性のある溝９に沿って畳まれる。それゆえ，容器本体３は小さい力で畳むことが可能となり，使用者は容易に容器本体３を畳むことができるようになる。


【手続補正１８】
【補正対象書類名】明細書
【補正対象項目名】００２２
【補正方法】変更
【補正の内容】
【００２２】
上記の本発明の実施例において，ばね７は容積調節螺旋枠５の中空部６内に収納される。しかしながら，図３ｂに示したように，容器１はばね７を備えることなく，中空部６のみで形成されることも可能である。かかる場合，容積調節螺旋枠５は引張ばねとしての役目を果たし，上記ばね７を備えた実施例と同様にして，容器本体３は気密密閉された容器本体３中に空気を導入するだけで原型に拡張されるのと同様に収縮されることも可能となる。


【手続補正１９】
【補正対象書類名】明細書
【補正対象項目名】００２３
【補正方法】変更
【補正の内容】
【００２３】
更に，図３ｃに示すように，図３ｂで示した実施例と異なり，かかる中空部６を具備せずに螺旋枠５を容器１に備えるように設計することも可能である。図３ｄに示したように，本発明の更に他の実施例によると，凹入溝１５が容器本体３の側壁の周囲に螺旋状に形成され，容器本体３の収縮及び弾力的な拡張がされるように容器折り畳み用ばね１２を収容することによって，容器１を容易に製造できる。


【手続補正２０】
【補正対象書類名】明細書
【補正対象項目名】００２４
【補正方法】変更
【補正の内容】
【００２４】
産業上の利用可能性
上記で説明したように，本発明は，空気流出入バルブを設けた蓋を具備した容器が提供され，それによって，容器の容量を調整するのに好適となり，容器の洗浄が容易となり，及び長期間食物及び飲料を新鮮に保存できるものとなる。